(57)【要約】【課題】  拡がって折り畳みにくい濡れた傘を大雑把に畳んでも容易に出し入れしやすく、携帯するのにも便利な折り畳み濡れ傘用バッグを提供する。【解決手段】  防水性材料から形成されたバッグ本体１０を備えた折り畳み傘用バッグであって、バッグ本体１０は、バッグ本体１０の開口部３の拡径を許容するゴムバンド１を有している。また、バッグは、バッグ本体１０の底部２とは反対側に、持ち手５が取り付けられている。【選択図】図１
2008029819.tif 000002
【特許請求の範囲】
【請求項１】
防水性材料から形成されたバッグ本体を備えた折り畳み傘用バッグであって、前記バッグ本体は、前記バッグ本体の中途に形成された開口部の拡径を許容するゴムバンドを有していることを特徴とする折り畳み濡れ傘用バッグ。
【請求項２】
請求項１に記載された折り畳み傘用バッグであって、前記バッグ本体は、２組の対向辺を有するシート状の前記防水性材料の一方の組の対向辺を相互にずらして折り返して形成され、前記折り返し部分から成る底部及び前記一方の組の対向辺のうち前記底部に近い側の辺と前記シート状の防水性材料のシート面との間に形成された開口部を有し、前記ゴムバンドは、前記一方の組の対向辺のうち前記底部に近い側の辺に沿って取り付けられていることを特徴とする折り畳み傘用バッグ。
【請求項３】
請求項２に記載された折り畳み傘用バッグであって、前記バッグ本体は、前記底部と交差する方向に位置する他方の組みの対向辺を、相互に着脱自在に連結する面ファスナーを有していることを特徴とする折り畳み傘用バッグ。
【請求項４】
請求項１乃至請求項３のいずれかに記載された折り畳み傘用バッグであって、前記バッグ本体の前記底部とは反対側に、持ち手が取り付けられていることを特徴とする折り畳み傘用バッグ。
【発明の詳細な説明】
【技術分野】
【０００１】  本発明は、折り畳み傘を、特に、雨等に濡れた状態でも、大雑把に畳んで簡易に出し入れしやすく、携帯するのにも便利な折り畳み濡れ傘用バッグに関するものである。
【背景技術】
【０００２】  購入時に添付の折り畳み傘袋は、乾いた傘を保管するもので、また、その開口が小さいことから、折り畳み傘を丁寧に折り畳んでコンパクトに畳まないと、傘の出し入れが困難であった。このため、特に、外出先で、雨に濡れた傘を収納するのに、非常に手間と時間を要する問題があった。特に、外出先は、何度も傘の出し入れを行うことが多いため、その手間は非常に膨大となる。
【発明の開示】
【発明が解決しようとする課題】
【０００３】  本発明は、上記の従来の問題を解決しようとするもので、傘を大雑把に畳んでも容易に出し入れしやすく、携帯するのにも便利な折り畳み濡れ傘用バッグを提供することを目的としたものである。
【課題を解決するための手段】
【０００４】  本発明は、上記の課題を解決するための第１の手段として、防水性材料から形成されたバッグ本体を備えた折り畳み傘用バッグであって、バッグ本体は、バッグ本体の開口部の拡径を許容するゴムバンドを有していることを特徴とする折り畳み濡れ傘用バッグを提供するものである。【０００５】  本発明は、上記の課題を解決するための第２の手段として、上記第１の解決手段において、バッグ本体は、２組の対向辺を有するシート状の防水性材料の一方の組の対向辺を相互にずらして折り返して形成され、折り返し部分から成る底部及び一方の組の対向辺のうち底部に近い側の辺とシート状の防水性材料のシート面との間に形成された開口部を有し、ゴムバンドは、一方の組の対向辺のうち底部に近い側の辺に沿って取り付けられていることを特徴とする折り畳み傘用バッグを提供するものである。【０００６】  本発明は、上記の課題を解決するための第３の手段として、上記第２の解決手段において、バッグ本体は、底部と交差する方向に位置する他方の組の対向辺を、相互に着脱自在に連結する面ファスナーを有していることを特徴とする折り畳み濡れ傘用バッグを提供するものである【０００７】  本発明は、上記の課題を解決するための第４の手段として、上記第１乃至第３のいずれかの解決手段において、バッグ本体の底部とは反対側に、持ち手が取り付けられていることを特徴とする折り畳み濡れ傘用バッグを提供するものである。
【発明の効果】
【０００８】  本発明によれば、上記のように、ゴムバンドによりバッグ本体の開口部を押し広げることができるため、濡れた折り畳み傘を丁寧にコンパクトに折り畳むことなく大雑把に畳んで開口部に差し込んでも、開口部を通じてバッグ内に容易に収納することができると同時に、開口部をバッグの頂部ではなく中途に形成しているため、濡れた傘をバッグの壁面に沿って滑らせて開口部に差し込むことにより容易に収納することができる実益がある。また、多少の雨であれば、他の荷物の中に傘バッグそのままを入れることもできるし、乾いた傘の保管にも使用することができる実益がある。【０００９】  また、本発明によれば、上記のように、底部と交差する方向に位置する他方の組の対向辺を、相互に着脱自在に連結する面ファスナーを設けているため、傘の収納時には、バッグ本体を展開することにより、傘をより一層容易に収納することができる一方、収納後は、面ファスナーを閉じて傘をバッグ内に確実に収納することができる実益がある。【００１０】  更に、本発明によれば、上記のように、底部とは反対側に持ち手を設けているため、この持ち手を把持して携帯することが容易となると共に、開口部から内部の水分が漏れるのを防止して、衣服等が濡れてしまうのを防止することができる実益がある。
【発明を実施するための最良の形態】
【００１１】  本発明の実施の形態を図面を参照しながら詳細に説明すると、図１乃至図４は、本発明の折り畳み傘用バッグを示し、この折り畳み傘用バッグは、バッグ本体１０を備えている。バッグ本体１０は、２組の対向辺を有するシート状の防水性材料の一方の組の対向辺を相互にずらして折り返して形成され、折り返し部分から成る底部２及び一方の組の対向辺のうち底部２に近い側の辺とシート状の防水性材料のシート面との間に形成された開口部３を有している。【００１２】  バッグ本体は、図１乃至図３に示すように、その開口部３の拡径を許容するゴムバンド１を有している。このゴムバンド１は、上記一方の組の対向辺のうち底部２に近い側の辺に沿って取り付けられている。従って、図示しない傘の先端を、このゴムバンド１が臨む開口部３に差し込むことで、開口部３を拡げながら傘を収納することができる。【００１３】  また、バッグ本体１０は、底部２と交差する方向に位置する他方の組の対向辺を、相互に着脱自在に連結する面ファスナー４を有している。従って、傘の収納時には、図１及び図３に示すように、バッグ本体１０を左右に展開することにより、傘をより一層容易に収納することできる一方、収納後は、図４に示すように、面ファスナー４を閉じて傘をバッグ内に確実に収納することができる。【００１４】  更に、本発明のバッグは、図１に示すように、バッグ本体１０の底部２とは反対側に持ち手５をも備えている。従って、この持ち手５を把持して携帯することが容易になると共に、開口部３から内部の水分が漏れるのを防止して、衣服等が濡れてしまうのを防止することがきる。
【図面の簡単な説明】
【００１５】
【図１】  本発明の折り畳み傘用バッグの正面図である。
【図２】  本発明の折り畳み傘用バッグの概略縦断面図である。
【図３】  本発明の折り畳み傘用バッグの開口部周辺の拡大図である。
【図４】  本発明の折り畳み傘用バッグにおいて面ファスナーを閉じた状態の正面図である。
【符号の説明】
【００１６】  １    ゴムバンド
２    底部
３    開口部
４    面ファスナー
５    持ち手
１０    バッグ本体
【図１】
2008029819.tif 000003
【図２】
2008029819.tif 000004
【図３】
2008029819.tif 000005
【図４】
2008029819.tif 000006